(57)【要約】【課題】装置の構成を簡素化するとともに、被冷却物の冷却状態を良好なものとし、確実な除湿を行い安全性を確保することができる除湿装置を提供する。【解決手段】水蒸気を含む気体を通過させる流路１内に、上記水蒸気を帯電させる絶縁被覆２ｃがなされた帯電電極２ａと、上記帯電状態２ａの水蒸気とは逆極性で上記帯電状態の水蒸気を吸着する絶縁被覆２ｄがなされた吸着電極２ｂとを備え、帯電電極２ａを気流の上流側に配置した状態で対をなして配置されている。これにより、帯電された水蒸気は吸着電極２ｂに吸着されて、気体中の水蒸気が除去されて、十分な除湿がなされる。【選択図】図２
2006087972.tif 000002
【特許請求の範囲】
【請求項１】
水蒸気を含む気体を通過させる流路内に、上記水蒸気を帯電させる絶縁被覆がなされた帯電電極と、上記帯電状態の水蒸気とは逆極性で上記帯電状態の水蒸気を吸着する絶縁被覆がなされた吸着電極とを備え、帯電電極を気流の上流側に配置した状態で対をなして配置されていることを特徴とする除湿装置。
【請求項２】
上記帯電電極は、多数の通気路が設けられた部材で構成されている請求項１記載の除湿装置。
【請求項３】
上記吸着電極は、回転駆動される部材である請求項１または２記載の除湿装置。
【請求項４】
上記吸着電極に、吸着電極の表面に結露した水蒸気の結露水を吸着電極の周縁に導く液体ガイド部が形成されている請求項１〜３のいずれか一項に記載の除湿装置。
【請求項５】
上記液体ガイド部によって導かれた結露水を集水して上記流路外に導く液滴回収器が流路を構成する部材に設けられている請求項４記載の除湿装置。
【発明の詳細な説明】
【技術分野】
【０００１】
本発明は、流路内を通過する水蒸気を含む気体から水蒸気を除去する除湿装置に関するものである。
【背景技術】
【０００２】
図７に示すように、食品類のショーケースや保冷ケース等の保管室１００内に冷気を供給して、食品類を冷凍状態あるいは冷蔵状態に維持することが行なわれている。上記の冷気を発生させるために、冷凍機等の冷気発生装置１０１を動作させているのであるが、冷却される空気中に水蒸気が含まれていると、食品類に霜が付着して食品類に霜焼，食品類同士の固着等が発生して食品類の変質や変色を来す問題がある。さらに、霜付着により食品類の各種表示印刷が十分に判読できなくなることがある。
【０００３】
そこで、冷気発生装置１０１に除湿装置１０２を組み合わせることが行なわれている。その一例として、特許文献１に開示されているように、空気中の水蒸気を正に帯電させるための放電電極を設置し、負に帯電した電極に水蒸気を吸着するものがある。また、特許文献２に開示されているように、冷水等のブラインを除湿冷却器に循環させて、冷却器の上流側で除湿を行なうものがある。さらには、特許文献３に開示されているように、冷却器に付着した霜を除霜ヒータ、すなわちデフロスターで溶かして排水するものがある。
【特許文献１】特開平７−２７５６４１号公報
【特許文献２】特開平９−８９４４４号公報
【特許文献３】特開２００２−２４３３４９号公報
【発明の開示】
【発明が解決しようとする課題】
【０００４】
しかしながら、上記特許文献１に開示されているような空気中の水蒸気を放電電極で正に帯電させ、負に帯電した電極に水蒸気を吸着する形式のものにおいては、放電電極の表面に空気中の不純物が付着しないようにして、常に放電性能を正常に維持する必要がある。さらに、放電電極であるために電極の表面を絶縁体で被覆することができず、正・負の両電極が絶縁構造とされていないために、何等かの異物が電極に付着して短絡状態になると、食品類のショーケース等に漏電し、顧客が感電する危険性がある。
【０００５】
また、特許文献２に開示されているような冷水等のブラインを除湿冷却器に循環させる形式のものにおいては、ブラインの巡回回路や循環ポンプの設置が必要であり、そのため、設備規模が大きくなって設備費用が高額になり、また、循環ポンプの駆動エネルギー費用も大きな負担になる。
【０００６】
さらに、特許文献３に開示されているような冷却器に付着した霜を除霜ヒータで取り除くものは、除霜ヒータからの熱によって、冷却効果が低下するという問題がある。このような問題による悪影響を少なくするために、除霜ヒータの動作制御を種々な制御因子にしたがって行い、そのために、制御装置が複雑になり原価高騰や動作信頼性の問題が生じたりしている。
【０００７】
本発明は、このような問題を解決するためになされたものであり、装置の構成を簡素化するとともに、被冷却物の冷却状態を良好なものとし、安全性を確保することができる除湿装置を提供することを目的とする。
【課題を解決するための手段】
【０００８】
上記目的を達成するため、本発明の除湿装置は、水蒸気を含む気体を通過させる流路内に、上記水蒸気を帯電させる絶縁被覆がなされた帯電電極と、上記帯電状態の水蒸気とは逆極性で上記帯電状態の水蒸気を吸着する絶縁被覆がなされた吸着電極とを備え、帯電電極を気流の上流側に配置した状態で対をなして配置されていることを要旨とする。
【発明の効果】
【０００９】
すなわち、水蒸気が上記帯電電極に接触することにより、水蒸気が確実に帯電状態になり、その後、気流によって帯電した水蒸気が吸着電極の方へ移動して、水蒸気の帯電極性とは逆の極性である吸着電極に吸着される。したがって、帯電電極における確実な水蒸気の帯電と、吸着電極における確実な水蒸気の吸着がなされて、水蒸気の除去が十分なレベルまで達成され、食品等の被冷却物に霜が付着しない。
【００１０】
上記のように霜が発生しないことにより、食品類であれば霜焼や変色が防止でき、その鮮度を低下させることなく保存できる。また、霜発生により固着した包装袋同士を無理にひきはがして袋を破いたりすることが発生しない。霜付着がないので、各種表示印刷が常に読みやすい状態が維持でき、商品点検等の作業性の低下が防止できる。さらに、加熱することにより霜を除去するデフロスターを採用する必要がないので、デフロスターのように食品等を温めたり冷やしたりして、鮮度や色彩を悪化させることがない。また、冷凍サイクル機器の可動部分に霜が付着することがないので、可動部分等の破損を防止することができる。
【００１１】
本発明の除湿装置において、上記帯電電極は、多数の通気路が設けられた部材で構成されている場合には、水蒸気が気流と共に上記多数の通気路を通過するので、水蒸気は確実に帯電電極に接触して、良好な水蒸気の帯電がなされる。
【００１２】
本発明の除湿装置において、上記吸着電極は、回転駆動される部材である場合には、帯電した水蒸気を含む気体を回転している吸着電極に接触させるので、吸着電極の表面全体に上記気体が接触し、帯電した水蒸気が逆極性の吸着電極の広い領域に対して吸着され、いわゆる吸着電極の表面積に対する吸着率を向上させることができる。
【００１３】
本発明の除湿装置において、上記吸着電極に、吸着電極の表面に結露した水蒸気の結露水を吸着電極の周縁に導く液体ガイド部が形成されている場合には、上記結露水を液体ガイド部で集水して吸着電極の周縁に導くので、吸着された水蒸気から発生した液体をあますところなく全て集約することができる。また、吸着電極が回転駆動されている場合には、回転による遠心力で液体ガイド部における液体移動を一層確実に行うことができる。
【００１４】
本発明の除湿装置において、上記液体ガイド部によって導かれた結露水を集水して上記流路外に導く液滴回収器が流路を構成する部材に設けられている場合には、吸着電極で集水された全ての液体が液体回収器に回収されるので、異常な箇所へ液漏れを発生したりすることなく、気体中の除湿が期待通りに達成される。
【発明を実施するための最良の形態】
【００１５】
つぎに、本発明の除湿装置を実施するための最良の形態を説明する。
【実施例１】
【００１６】
図１，図２，図３および図４は、本発明の除湿装置の一実施例を示す。
【００１７】
この実施例は、冷凍食品販売用のオープンショーケースの場合である。ショーケース全体は符号４０で示されている。上記ショーケース４０の断面形状は、図１の左側が開放された略コ字型であり、ケーシング４１の内側に食料品を陳列する陳列空間４２が形成されている。上記陳列空間４２はケーシング４１内に設置した隔壁板４３によって構成され、この隔壁板４３に陳列棚４４が複数段取り付けられている。そして、左側の開放しているところから食料品の出し入れをするようになっている。
【００１８】
上記隔壁板４３とケーシング４１との間に形成された空間が、気体を流通させる流路４５となっている。上記通路４５には冷気発生装置の一部を構成する主冷却器４６が配置され、この主冷却器４６は、図示していないが、凝縮器やコンプレッサ等からなる冷却回路中に接続されている。主冷却器４６の気流の上流側に後述の除湿装置４７が配置され、さらにその上流側に送気ファン４８が配置されている。上記送気ファン４８により、図１に矢線で示すように、気流が反時計方向に循環するようになっている。
【００１９】
上記ケーシング４１の天板前側にハニカム構造の冷気吹出口４９が設けられ、他方、ケーシング４１に下部前板の部分に冷気吸込口５０が形成され、この冷気吹出口４９と冷気吸込口５０は上下方向に略対向した状態で配置されている。冷気吹出口４９から整流されて吹出した冷気は冷気吸込口５０に吸い込まれて、陳列空間４２の前面部にエアーカーテン５１が形成されて、陳列空間４２内の温度が上昇しないようになっている。なお、図示していないが、陳列空間４２内に冷気を供給する供給口が、食料品の冷凍状態を正常に保つ位置に配置されている。
【００２０】
つぎに、図２，図３および図４にしたがって、上記除湿装置４７について説明する。
【００２１】
上記除湿装置４７は、主として、水蒸気を含む空気を通過させる流路１内に、水蒸気を帯電させる帯電電極２ａと、帯電した水蒸気を吸着する吸着電極２ｂとが設けられ、さらに、帯電電極２ａと吸着電極２ｂを回転運動させるモータ３と、吸着電極２ｂに付着した水蒸気から生じた水滴を回収する水滴回収器４とによって構成されている。
【００２２】
上記流路１は、断面円形のダクト１ａによって構成され、このダクト１ａは断熱層（図示していない）を有する絶縁材料製のパイプ材でできている。なお、このパイプ材が、例えば、導電性のあるステンレス鋼でできている場合には、除湿装置４７を構成する部分のパイプ材を隣接するパイプ材に対して絶縁するか、あるいはこの部分だけ絶縁材料製のパイプ材におきかえる。
【００２３】
空気中の水蒸気を帯電させるために、帯電電極２ａがダクト１ａ内に配置されている。上記帯電電極２ａは偏平な円盤型で、その外周部はダクト１ａの内面との間にわずかな隙間が付与されている。帯電電極２ａの中心部に回転軸７ａが固定され、上記回転軸７ａは軸受７ｃにより回転自在な状態で支持されている。回転軸７ａの上端部にはプーリ８ａが取り付けられ、モータ３の駆動軸９ａの先端部に取り付けられたプーリ１０ａとベルト１１ａで連結されている。これにより、モータ３の駆動軸９ａが回転することにより、帯電電極２ａが軸心を中心として回転するようになっている。また、帯電電極２ａとモータ３とがベルト１１ａによって絶縁されている。
【００２４】
上記帯電電極２ａは、図３（Ａ）に示すように、空気を通過させる複数の貫通穴５ａが形成されている。帯電電極２ａは絶縁層２ｃで被覆されている。上記絶縁層２ｃは、合成樹脂等の絶縁材料で形成されているもので、塗装や溶融合成樹脂中にディッピングしてコーティングされる。
【００２５】
帯電電極２ａの金属部分は、ステンレス鋼等の導電体から形成され、下面中心に回転接触部１４ａが突設されている。上記回転接触部１４ａには、プラス側固定電極１６ａからブラシ１５ａを介して高圧のプラス電位が印加され、空気中の水蒸気をプラスに帯電させるようになっている。図において、１７は直流電源である。なお、空気は図２に示した矢線のように、図２の下から上に向かって流れる。なお、帯電電極２ａは偏平な部材で形成されているので、このような形状の帯電電極２ａを気体の流路断面全体を覆うように配置して、水蒸気の帯電性を一層効果的にすることができる。また、帯電電極２ａの変形例として、金属製網目材料を積層して用いた３次元網目構造とし、網目線材の表面が絶縁材料でコーティングされて絶縁層を形成するようにすることもできる。
【００２６】
帯電電極２ａでプラスに帯電された水蒸気を吸着するために、上記吸着電極２ｂが帯電電極２ａの下流側に配置されている。上記吸着電極２ｂは偏平な円盤型で、その中心部に回転軸７ｂが固定され、上記回転軸７ｂは軸受７ｄにより回転自在な状態で支持されている。回転軸７ｂの下端部にはプーリ８ｂが取り付けられ、モータ３の駆動軸９ｂの先端部に取り付けられたプーリ１０ｂとベルト１１ｂで連結されている。これにより、モータ３の駆動軸９ｂが回転することにより、吸着電極２ｂが軸心を中心として回転するようになっている。また、吸着電極２ｂとモータ３とがベルト１１ｂによって絶縁されている。
【００２７】
上記吸着電極２ｂは、図３（Ｂ）や図４に示すように、空気を通過させる複数の貫通穴５ｂが形成されている。吸着電極２ｂは絶縁層２ｄで被覆されている。上記絶縁層２ｄは、合成樹脂等の絶縁材料で形成されているもので、塗装や溶融合成樹脂中にディッピングしてコーティングされる。また、吸着電極２ｂの上面および下面には、中心部から放射状に延びるガイド溝６が刻設され、吸着された水蒸気から生じた水滴を上記ガイド溝６に沿って吸着電極２ｂの周縁に導くようになっている。
【００２８】
上記吸着電極２ｂの周囲の回転円周上に、上記水滴回収器４が配置されている。上記水滴回収器４は、断面形状が大略コ字状であり、コ字状の下側部が内側に延びて水滴を受ける樋部（水滴受け部）１２に形成されている。上記樋部１２には、ドレン管１３が連結されて溜まった水滴を外部に排出するようになっている。
【００２９】
吸着電極２ｂの金属部分は、ステンレス鋼等の導電体から形成され、上面中心に回転接触部１４ｂが突設されている。上記回転接触部１４ｂには、マイナス側固定電極１６ｂからブラシ１５ｂを介してマイナス電位が印加され、空気中のプラスに帯電された水蒸気を吸着電極２ｂに吸着するようになっている。なお、吸着電極の変形例として、貫通穴が設けられたブロック形状の部材をダクト内に絶縁して配置することも可能である。
【００３０】
上記除湿装置では、例えばつぎのようにして除湿が行われる。
【００３１】
水蒸気を含んだ空気が図２矢線の方向に流通すると、プラス電位に印加された帯電電極２ａにより、水蒸気はプラスに帯電する。このとき、帯電電極２ａは回転しているので、貫通穴５ａを通過する空気は貫通穴５ａの前後で乱流を生じて、帯電電極２ａの上面と下面に接触する度合いが向上して、より多くの水蒸気が帯電状態になり、後述の吸着電極２ｂにおける吸着率が向上する。
【００３２】
上記帯電電極２ａを通過した空気は、回転している吸着電極２ｂに接触し、このときにプラス電位の水蒸気はマイナス電位の吸着電極２ｂに吸着される。空気が吸着電極２ｂの貫通穴５ｂを通過するときにも空気は貫通穴５ｂの前後で乱流を生じて、吸着電極２ｂの上面と下面に接触する度合いが向上して、より多くの水蒸気が吸着される。上記水蒸気から生じた水滴は、回転運動による遠心力でガイド溝６に沿って吸着電極２ｂの周縁に達し、そこから遠心力で飛ばされて吸着電極２ｂの周囲に配置された水滴回収器４にキャッチされ回収される。
【００３３】
上記のように、水蒸気が帯電されて吸着されて行く現象を水の分子レベルで考察する。
【００３４】
図５は、絶縁された帯電電極２ａと吸着電極２ｂ間における水蒸気の挙動を説明するための模式図である。図５（Ａ）に示すように、プラス電位の帯電電極２ａにおいては、誘電率の大きな絶縁層２ｃに分極作用が生じ、上記絶縁層２ｃの帯電電極２ａ近傍はマイナスに、表面部分はプラスになる。一方、マイナス電位の吸着電極２ｂにおいては、誘電率の大きな絶縁層２ｄに分極作用が生じ、上記絶縁層２ｄの吸着電極２ｂ近傍はプラスに、表面部分はマイナスになる。
【００３５】
そして、帯電電極２ａと吸着電極２ｂとの間に移動してきた水分子は、帯電電極２ａと吸着電極２ｂとによって発生した電界のエネルギーを受けて電子軌道の電荷が偏って、水分子の励起起動に浮遊電子が取り込まれたり放出されたりすることによる帯電が生じる。このような帯電作用によって、水分子の分子分極が一層顕著となる。
【００３６】
すなわち、水分子は、図５（Ｂ）に示すように、通常の状態でも酸素原子側がマイナスに水素原子側がプラスに偏ってそれ自体が分極した状態であるが、上述したような電界の作用によって水分子の電子軌道に変化が生じ、図５（Ｃ）に示すように、分子分極が一層顕著な状態となる。
【００３７】
さらに、この状態において、上記分子分極した水分子は、帯電電極２ａと吸着電極２ｂとの間において、図５（Ｃ）に示すように、マイナス電位の酸素原子が帯電電極２ａの絶縁層２ｃ表面のプラスに引かれるとともに、プラス電位の水素原子が上記絶縁層２ｃから遠ざかった箇所に向くよう配向する。この状態で、上記水分子が帯電電極２ａから吸着電極２ｂの方へ気流の作用を受けることにより、配向した水分子の水素原子側が吸着電極２ｂに吸い寄せられ、吸着されるのである。
【００３８】
一方、マイナス電位の吸着電極２ｂ側においては、帯電電極２ａとは逆の極性の分極作用が生じていて、絶縁層２ｄの表面部分はマイナス状態になり、帯電電極２ａでプラスに帯電した水の分子（Ｈ２Ｏ）＋が吸着電極２ｂのマイナス表面部分に向って移動し、上記のように水滴化する。
【００３９】
上記のように水の分子をプラス帯電にしやすくするために、両電極２ａ，２ｂの絶縁層２ｃ，２ｄを水よりも仕事関数の大きな物質で形成する。このように仕事関数の大きな絶縁材料を使用することにより、水の分子（Ｈ２Ｏ）から電子が放出しやすくなるので、水の分子は（Ｈ２Ｏ）＋となり、吸着電極２ｂに確実に吸着される。
【００４０】
上記のような現象により、導電性金属でできた電極２ａ，２ｂを覆っている絶縁層２ｃ，２ｄに分極現象が発生するので、絶縁層２ｃ，２ｄの表面部全域がプラスまたはマイナスの極性となり、帯電電極２ａに接触した水蒸気は確実にプラス帯電の状態になり、その後、この水蒸気は絶縁層２ｄが分極されてマイナスの表面状態とされた吸着電極２ｂの表面部に吸着される。絶縁層２ｃ，２ｄを誘電率の大きな絶縁材料で構成することにより、上記分極現象が顕著に現われるので、より好ましい。
【００４１】
したがって、両電極２ａ，２ｂの絶縁層２ｃ，２ｄに分極現象を発生させて所定の表面極性を設定し、水蒸気の帯電ないしは吸着が確実になされる。
【００４２】
しかも、絶縁層２ｃ，２ｄによって両電極２ａ，２ｂが完全に絶縁されているので、ショーケース４０への漏電等を確実に防止できて、安全性の高いショーケース４０が採用できる。
【００４３】
上記実施例の作用効果を列記すると、つぎのとおりである。
【００４４】
すなわち、水蒸気が上記帯電電極２ａに接触することにより、水蒸気が確実に帯電状態になり、その後、空気流によって帯電した水蒸気が吸着電極２ｂの方へ移動して、水蒸気の帯電極性とは逆の極性である吸着電極２ｂに吸着される。したがって、帯電電極２ａにおける確実な水蒸気の帯電と、吸着電極２ｂにおける確実な水蒸気の吸着がなされて、水蒸気の除去が十分なレベルまで達成され、食品等の被冷却物に霜が付着しない。
【００４５】
上記のように霜が発生しないことにより、食品類であれば霜焼や変色が防止でき、その鮮度を低下させることなく保存できる。また、霜発生により固着した包装袋同士を無理にひきはがして袋を破いたりすることが発生しない。霜付着がないので、各種表示印刷が常に読みやすい状態が維持でき、商品点検等の作業性の低下が防止できる。さらに、加熱することにより霜を除去するデフロスターを採用する必要がないので、デフロスターのように食品等を温めたり冷やしたりして、鮮度や色彩を悪化させることがない。また、冷凍サイクル機器の可動部分に霜が付着することがないので、可動部分等の破損を防止することができる。
【００４６】
上記吸着電極２ｂは、回転駆動される偏平な部材であるから、帯電した水蒸気を含む空気を回転している吸着電極２ｂに接触させ、吸着電極２ｂの表面全体に空気が接触し、帯電した水蒸気が逆極性の吸着電極２ｂの広い領域に対して吸着され、いわゆる吸着電極２ｂの表面積に対する吸着率を向上させることができる。
【００４７】
上記吸着電極２ｂに、吸着電極２ｂの表面に結露した水蒸気の結露水を吸着電極２ｂの周縁に導くガイド溝６が形成されていることにより、上記結露水をガイド溝６で集水して吸着電極２ｂの周縁へ導き、吸着された水蒸気から発生した水をあますところなく全て集約することができる。また、吸着電極２ｂが回転駆動されている場合には、回転による遠心力でガイド溝６における水の移動を一層確実に行うことができる。
【００４８】
上記ガイド溝６によって導かれた結露水を集水して上記流路１外に導く水滴回収器４がダクト１ａに設けられていることにより、吸着電極２ｂで集水された全ての水が水滴回収器４に回収されるので、異常な箇所へ水漏れを発生したりすることなく、空気中の除湿が期待通りに達成される。
【実施例２】
【００４９】
図６（Ａ）から（Ｃ）は、本発明の除湿装置の第２ないし第４の実施例を示す。この実施例は、帯電電極２ａの変形例である。
【００５０】
図６（Ａ）に示したものは、平板状の導電性材料でできた電極板１８に多数の通気口１９を設け、上記電極板１８を流路１を横切る向きに取り付け、電極板１８の空気の後流側に導電性材料でできた電極針２０を多数設けたものである。この電極針２０の先端部は尖った形状とされている。図示していないが、電極板１８や電極針２０は絶縁材料で被覆され、その絶縁層には符号２ｃが付してある。それ以外は、上記実施例と同様であり、同様の部分には同じ符号を付している。
【００５１】
上記構成により、通気口１９を空気が通過するときには、通過する手前で空気は拡散されるので、空気は電極板１８の上流側の端面に十分に接触する。そして、通気口１９を通過した空気は乱流を起こすので、空気は電極針２０に十分に接触する。したがって、空気中の水蒸気は電極全域に接触して、十分な帯電がなされる。さらに、このような電極針２０によれば、電極針２０が電界密度を高めるための突起として機能し、特に、先端部の尖った箇所の電界密度が他の箇所よりも大きくなるので、より大きな電界エネルギーが水蒸気の水分子に対して投入され、この部分における水蒸気の帯電現象がより一層促進される。それ以外は、上記実施例と同様の作用効果を奏する。
【００５２】
図６（Ｂ）に示したものは、導電材料でできた金網、すなわちメッシュ状の部材で形成したメッシュ電極２１である。それ以外は、上記各実施例と同様であり、同様の部分には同じ符号を付している。
【００５３】
上記構成により、メッシュ状の通気路を通過する際に水蒸気がプラス帯電される。また、通気路がメッシュ状であるから、メッシュ部分と空気との接触が十分に行われて、水蒸気の帯電性が良好になされる。それ以外は、上記各実施例と同様の作用効果を奏する。
【００５４】
図６（Ｃ）に示したものは、平たい導電性材料に多数の通気口２２を設けたパンチメタル２３の場合である。それ以外は、上記各実施例と同様であり、同様の部分には同じ符号を付している。
【００５５】
上記構成により、パンチメタル２３であるから、簡単なプレス加工で製作することができて、原価低減に有効である。それ以外は、上記各実施例と同様の作用効果を奏する。
【００５６】
上記図６（Ａ），（Ｂ）および（Ｃ）に示した実施例は、多数の通気路が設けられた偏平な部材で構成されている。このため、水蒸気が空気と共に上記多数の通気路を通過し、水蒸気は確実に帯電電極２ａに接触して、良好な水蒸気の帯電がなされる。さらに、帯電電極２ａは偏平な部材で形成されているので、このような形状の帯電電極２ａを気体の流路断面全体を覆うように配置して、水蒸気の帯電性を一層効果的にすることができる。
【産業上の利用可能性】
【００５７】
気体中の水蒸気を帯電電極で帯電させて、帯電した水蒸気と逆の極性とされた吸着電極に水蒸気を吸着させる構造であり、しかも、帯電電極および吸着電極はともに絶縁被覆がなされている。したがって、帯電した水蒸気は確実に吸着電極に吸着されて、除湿が図られる。よって、食品等の冷凍保管における除湿やエアコンディショナーの除湿等の広い分野で有効に利用することができる。
【図面の簡単な説明】
【００５８】
【図１】本発明を適用したオープンショーケースの断面図である。
【図２】除湿装置の断面図である。
【図３】帯電電極と吸着電極の部分的な断面図である。
【図４】吸着電極の斜視図である。
【図５】帯電電極と吸着電極における水蒸気の帯電と吸着現象を説明する模式図である。
【図６】帯電電極の他の実施例を示す断面図である。
【図７】従来例を示すブロック図である。
【符号の説明】
【００５９】
１      流路
１ａ    ダクト
２ａ    帯電電極
２ｂ    吸着電極
２ｃ    絶縁層
２ｄ    絶縁層
３      モータ
４      水滴回収器
５ａ    貫通穴
５ｂ    貫通穴
６      ガイド溝
７ａ    回転軸
７ｂ    回転軸
７ｃ    軸受
７ｄ    軸受
８ａ    プーリ
８ｂ    プーリ
９ａ    駆動軸
９ｂ    駆動軸
１０ａ  プーリ
１０ｂ  プーリ
１１ａ  ベルト
１１ｂ  ベルト
１２    樋部（水滴受け部）
１３    ドレン管
１４ａ  回転接触部
１４ｂ  回転接触部
１５ａ  ブラシ
１５ｂ  ブラシ
１６ａ  プラス側固定電極
１６ｂ  マイナス側固定電極
１７    直流電源
１８    電極板
１９    通気口
２０    電極針
２１    メッシュ電極
２２    通気口
２３    パンチメタル
４０    ショーケース
４１    ケーシング
４２    陳列空間
４３    隔壁板
４４    陳列棚
４５    流路
４６    主冷却器
４７    除湿装置
４８    送気ファン
４９    冷気吹出口
５０    冷気吸込口
５１    エアーカーテン
１００  保管室
１０１  冷気発生装置
１０２  除湿装置
【図１】
2006087972.tif 000003
【図２】
2006087972.tif 000004
【図３】
2006087972.tif 000005
【図４】
2006087972.tif 000006
【図５】
2006087972.tif 000007
【図６】
2006087972.tif 000008
【図７】
2006087972.tif 000009